(57)【要約】【課題】多数本の鍼を簡単に収納できて鍼の収納作業が容易であり、ガス滅菌が確実に行われ、収納容器に収納機能と鍼を並べて載置するトレー機能とを兼具させ、使用に際しては鍼に手を触れないでトレー部に鍼を並べることができる鍼収納構造を提供すること。【解決手段】底板部１２と周壁部１３を備えたケース本体１１の一部に仕切り壁１４を設けて鍼収納部２と鍼を並べて載置するトレー部３とを区画形成した鍼収納容器１と、複数本の鍼６を収納して前記鍼収納部２に収納され、収納された鍼の針柄部６ｂ側の端部が開口していると共に針先側の開口端には針先６ａを保護する柔軟部材からなる栓体５が設けられている収納筒４と、前記鍼収納部２及びトレー部３を覆うように前記周壁部１３の頂部１３ａに剥離可能に貼着された滅菌ガス透過性のシール材７とからなり、鍼６をガス滅菌状態で収納する収納機能と施術時の鍼のトレー機能とを兼具させた鍼収納構造である。【選択図】図１
0003115894.tif 000002
【実用新案登録請求の範囲】
【請求項１】
底板部と周壁部を備えたケース本体の一部に仕切り壁を設けて鍼収納部と鍼を並べて載置するトレー部とを区画形成した鍼収納容器と、複数本の鍼を収納して前記鍼収納部に収納され、収納された鍼の針柄側の端部が開口していると共に針先側の開口端には針先を保護する柔軟部材からなる栓体が設けられている収納筒と、前記鍼収納部及びトレー部を覆うように前記周壁の頂部に剥離可能に貼着された滅菌ガス透過性のシール材とからなり、鍼をガス滅菌状態で収納する収納機能と施術時の鍼のトレー機能とを兼具させたことを特徴とする鍼収納構造。
【請求項２】
収納筒の長さは鍼の長さよりも長く、鍼収納部の長さは、鍼が収納された収納筒を収納した際に収納筒の開口から鍼が抜け出ない長さとなっていることを特徴とする請求項１に記載の鍼収納構造。
【請求項３】
ケース本体の周縁部に袴部が延設されていることを特徴とする請求項１又は２に記載の鍼収納構造。
【請求項４】
トレー部の底面には針柄部を摘み易くするための凹部が形成されていることを特徴とする請求項１〜３の何れかに記載の鍼収納構造。
【請求項５】
鍼収納部又はトレー部に鍼管が収納されていることを特徴とする請求項１〜４の何れかに記載の鍼収納構造。
【考案の詳細な説明】
【技術分野】
【０００１】
本考案は、鍼灸鍼をガス滅菌状態で収納することができる収納機能とケース本体の一部を施術時の鍼のトレーとして使用し得るようにしたトレー機能とを兼具させた鍼収納構造に関するものであり、特にディスポーザブル鍼の収納に適する収納構造に関するものである。
【背景技術】
【０００２】
鍼施術による感染予防の要請から、近時はディスポーザブル鍼（略称ディスポ鍼）、いわゆる使い捨て鍼が使用されるようになっており、鍼の包装形態としては鍼収納溝を形成した樹脂製容器に鍼を１本ずつ収納して滅菌ガス透過性のシートで覆い、これをガス滅菌している。
【０００３】
しかし、従来の包装形態では鍼を取り出す際に１本１本シートを剥がして取り出さなければならず、実際の施術に際しては１回に５〜１０本の鍼を使用するから、鍼の取り出しが頗る面倒である。
【０００４】
このような難点を解消する手段として種々提案されており、例えば、
鍼収納溝を多数形成したケースに鍼を並べ、その上からケースと同じ大きさの用紙で密封するようにしたもの、或いは、多数本の鍼を集束状態で収納する有底筒状のケース内に針先を保持する脱脂綿等の柔軟保持部材を設けると共に、内部に消毒液を入り込ませるための貫通穴をケースの内外周面に設け、消毒した後に前記ケースをブリスタパックするようにしたもの等がある。
【特許文献１】実用新案登録第３０６９８６３号実用新案公報
【特許文献２】特許第２９６８２６１号特許公報
【考案の開示】
【考案が解決しようとする課題】
【０００５】
しかし、特許文献１に記載のものでは、鍼の梱包に際しては収納溝に鍼を１本１本収納しなければならず、また、使用に際しても鍼の形状をなした収納溝に嵌っている鍼を１本１本取り出すため、鍼の摘み出しが容易ではなく頗る面倒であり、また、特許文献２に記載のものでは、液体消毒形式であるため処理が面倒であり、しかも筒状ケースへの孔加工を必要とする等の難点があり、さらにこれをブリスタパックするものであるから、ブリスタパックからの取り出しが面倒であると共に多数本取り出された鍼を例えば別のトレー等に並べておく必要がある等の難点がある。
【０００６】
本考案が解決しようとする課題は、通常１回の施術で必要とされる本数の鍼を簡単に収納することができて鍼の収納作業が容易であってしかもガス滅菌が確実に行われ、収納容器に収納機能と鍼を並べて載置するトレー機能とを兼具させ、使用に際しては鍼に手を触れることなくトレー部に鍼を並べることができるようにした鍼収納構造を提供しようとするものである。
【課題を解決するための手段】
【０００７】
本考案の鍼収納構造は、底板部と周壁部を備えたケース本体の一部に仕切り壁を設けて鍼収納部と鍼を並べて載置するトレー部とを区画形成した鍼収納容器と、複数本の鍼を収納して前記鍼収納部に収納され、収納された鍼の針柄部側の端部が開口していると共に針先側の開口端には針先を保護する柔軟部材からなる栓体が設けられている収納筒と、前記鍼収納部及びトレー部を覆うように前記周壁の頂部に剥離可能に貼着された滅菌ガス透過性のシール材とからなり、鍼をガス滅菌状態で収納する収納機能と施術時の鍼のトレー機能とを兼具させたことを特徴とする。
【０００８】
この鍼収納構造によれば、収納筒に１回の施術に使用される複数本の鍼を針先側から収納すると共にこれを鍼収納容器の鍼収納部に収納して鍼収納容器全体に滅菌ガス透過性のシール材を貼着し、これをガス滅菌処理を施すと、収納筒は針柄部側（後部側）が開口しているため滅菌ガスは収納筒内に回り、鍼全体を確実に滅菌処理することができる。
【０００９】
使用に際しては、鍼収納容器のシール材を剥がして鍼収納部から収納筒を取り出し、トレー部に収納筒の後部側（針柄部側）から全ての鍼を吐出させて並べ載置することができる。この場合、収納筒からの鍼の吐出は針柄部側（竜頭側）から行われるため針先を痛めたりするおそれはない。
【００１０】
請求項２に記載のものでは、収納筒の長さは鍼の長さよりも長く、鍼収納部の長さは、鍼が収納された収納筒を収納した際に収納筒の開口から鍼が抜け出ない長さとなっていることを特徴とし、鍼が収納筒の開口部から抜け出したりすることはない。
【００１１】
請求項３に記載のものでは、ケース本体の周縁部に袴部が延設されていることを特徴とし、これにより多数本の鍼を並べて載置するトレー部を備えた鍼収納容器をより安定的に所定位置に載置することができる。
【００１２】
請求項４に記載のものでは、トレー部の底面に針柄部を摘み易くするための凹部が形成されていることを特徴とし、これにより施術に際して鍼をトレー部から容易に摘み上げることができる。
【００１３】
請求項５に記載のものでは、鍼収納部又はトレー部に鍼管が収納されていることを特徴とし、これにより鍼管自体も確実にガス滅菌されると共に施術に際して鍼管を使用する場合には別に鍼管を用意する必要がない。
【考案の効果】
【００１４】
本考案の鍼収納構造によれば、例えば、１回の施術に使用される本数の鍼を１度に収納筒に収納することができて鍼の収納作業が容易であって、しかもガス滅菌を確実に行わせることができる。また、収納容器に収納機能と鍼を並べて載置するトレー機能とを兼具させているから、使用に際して鍼に手を触れることなくトレー部に鍼を並べることができ、この場合、針先を痛めたりするおそれもない。
【考案を実施するための最良の形態】
【００１５】
底板部と周壁部を備えたケース本体の一部に仕切り壁を設けて鍼収納部と鍼を並べて載置するトレー部とを区画形成した鍼収納容器を樹脂材料により薄肉で成形し、透明樹脂パイプ等からなる収納筒の一端側（先端側）には針先を保護する柔軟部材からなる栓体を詰めて封止し、該収納筒に１回の施術で使用される本数の鍼を針先側から挿入して収納する。これを前記鍼収納容器の鍼収納部に収納し、前記鍼収納容器の上面に滅菌ガス透過性のシール材を貼着してガス滅菌処理を施す。使用に際しては、前記シール材を剥がし、鍼収納部の収納筒を取り出して後端側から振り出すようにして全ての鍼をトレー部に並べる。
【実施例１】
【００１６】
図１は、本考案の鍼収納構造の１実施例を示す分解斜視図であり、シール材の一部を切除して示している。図２は図１におけるＡ−Ａ線断面図、図３は図１におけるＢ−Ｂ線断面図である。
【００１７】
図において、１はプラスチック製の鍼収納容器を示し、底板部１２と頂部１３ａが平坦な突堤状の周壁部１３とを備えたやや縦長のケース本体１１の一部に前記周壁部１３よりもやや低い仕切り壁１４を長さ方向に設け、これにより鍼収納部２と鍼を並べて載置するトレー部３とを区画形成したものであり、さらに前記周壁部１３の底部外周には袴部１３ｂが延設され、これら全体は薄肉に成形されている。また、前記トレー部３の後部側には並べられた鍼６の針柄部６ｂを摘み易くするための凹部３ａが形成されている。
【００１８】
４は透明樹脂パイプ等からなる収納筒であり、その長さは鍼６の全体の長さよりも長く、その一端側（先端側）４ａには針先を保護する柔軟部材からなる栓体５を詰めて封止し、該収納筒４に例えば１回の施術で使用される５〜１０本程度の本数の鍼６を針先６ａ側から挿入して収納する。
【００１９】
これを前記鍼収納容器１の鍼収納部２に収納し、前記周壁部１３の頂部１３ａに滅菌ガス透過性のシール材７を貼着して閉塞する。なお、実施例では、前記鍼収納部２に樹脂パイプからなる鍼管８を１本収納してある。前記滅菌ガス透過性のシール材７は従来から使用されているシートが用いられる。このようにしてシールされた後、ガス滅菌処理を施して、鍼６、収納筒４及び鍼管８を含めて全体を滅菌する。前記収納筒４は後端側（針柄側）４ｂが開口しているため滅菌ガスは収納筒４内に回り、鍼６は確実に滅菌処理される。
【００２０】
実施例では前記鍼収納部２の長さは収納筒４の長さよりもやや長くしてあって、収納筒４内に収納された鍼６が針柄部側から抜け出さない長さとなっているが、鍼の抜け出し防止手段は他の手段であってもよい。
【００２１】
使用に際しては、前記シール材７を剥がし、鍼収納部２の収納筒４を取り出して後端の開口側から振り出すようにして全ての鍼６をトレー部３に並べる。このとき、鍼６は針柄部６ｂ側から振り出されるため針先５ａが損傷したりするおそれはない。なお、前記鍼収納容器１は鍼廃棄時に廃棄用シャーレとして使用することができる。
【図面の簡単な説明】
【００２２】
【図１】鍼収納構造の１実施例を示す分解斜視図である。
【図２】図１におけるＡ−Ａ線断面図である。
【図３】図１におけるＢ−Ｂ線断面図である。
【符号の説明】
【００２３】
１    鍼収納容器
２    鍼収納部
３    トレー部
４    収納筒
５    栓体
６    鍼
７    シール材
８    鍼管
１１  ケース本体
１２  底板部
１３  周壁部
１４  仕切り壁
【図１】
0003115894.tif 000003
【図２】
0003115894.tif 000004
【図３】
0003115894.tif 000005